(57)【要約】  本発明は、特にスポーツ活動時に使用するための靴下に関する。この靴下の踏み領域（１）にはクッションが設けられている。これらのクッション（２，３，４）は外側及び内側の球の領域、かかとの領域並びに甲の外側の領域内に設けられている。クッション（２，３，４）の間には中間室（６）が形成されている。
2007506869.tif 000002
【特許請求の範囲】
【請求項１】
特にスポーツ活動時に使用するための靴下であって、該靴下が、踏み領域にクッションを設けられている形式のものにおいて、クッション（２，３，４）が、外側及び内側の球の領域、かかとの領域並びに甲の外側の領域内に設けられており、クッション（２，３，４）の間に中間室（６）が形成されていることを特徴とする、靴下。
【請求項２】
指球クッション（４）が、外側及び内側の球の領域で種々異なった組織構造を有している、請求項１記載の靴下。
【請求項３】
指球クッション（４）が、複数部分より構成されている、請求項２記載の靴下。
【請求項４】
足指の領域内に、三日月形鎌の形の足指クッション（５）が配置されている、請求項１から３までのいずれか１項記載の靴下。
【請求項５】
足指クッション（５）が、複数の個々のクッション（５１，５２，５３，５４，５５）の形で構成されている、請求項４記載の靴下。
【請求項６】
前記個々のクッション（５１〜５５）が、種々異なった組織構造を有している、請求項５記載の靴下。
【請求項７】
クッション（２，３，４，５）が、種々異なった硬度を有している、請求項１から６までのいずれか１項記載の靴下。
【請求項８】
前記靴下が、少なくとも１つの側方の空調通路（７）を有しており、該空調通路（７）が、分離したクッション（２，３，４，５）により形成された、踏み領域（１）の中間室（６）のいずれか１つに開口している、請求項１から７までのいずれか１項記載の靴下。
【発明の詳細な説明】
【技術分野】
【０００１】
本発明は、特にスポーツ活動時に使用するための、踏み領域にクッションが設けられている靴下に関する。
【０００２】
特にスポーツ活動時には、人の足は一般に堅固な靴内に収められている。この場合に特に足はしばしば靴下により取り囲まれている。素早い多くの動きに基づき、スポーツ活動時には足に高められた負荷がもたらされ、このことは加速された疲労につながり得る。特に足踏み領域の負荷分配が不均一な場合には、距腱関節の周囲に配置された靱帯の高められた疲労につながりかねない。このことは、例えば誤った踏込み時に靱帯の過度な疲労若しくは損傷をもたらす。さらに過度に疲労した靱帯による距腱関節の不安定化が、ひざ及び隣接する領域の損傷をももたらす恐れがある。このことから、足踏み領域の解剖学的な負荷分配には、特にスポーツ活動時には、運動系統の安定性のために大きな意味がある。
【０００３】
足踏み面は、かかとと、外側及び内側の球（指球）との間で３点支持部を形成している。この３点支持部は、全体重を脚部でバランスすることができることを可能にする。歩行時には足の自然の縦方向及び横方向円蓋部が、踏込み時にばねのように作用する。負荷力が特に３点支持部により吸収される。この場合に負荷の約４０％が外側及び内側の指球で、かつ３３％がかかとで消失する。負荷の約１５％は足の甲の外側に作用し、残りの負荷力は足指により吸収される（内側の足指領域が約５％、外側の足指領域が約７％）。
【０００４】
足の動的な負荷、及びこのような負荷に結びついた、衝撃作用を緩衝することにより生じる早期の疲労を減じるためには、特に靴下に、柔らかいクッションを入れられた足指、足底及びかかと領域を設けることが公知である（ドイツ連邦共和国実用新案第８７０１８３４号明細書参照）。さらにかかと領域と足指領域との間に位置する足底領域は、足踏み面に対応した輪郭を有していてよい（ヨーロッパ特許庁特許第０８４９９９８号明細書参照）。しかしながら、公知の靴下は足踏み面に特有の負荷特性を考慮していない。
【０００５】
この点で本発明は改良を施したい。本発明の根底にある課題は、特にスポーツ活動のための靴下において、高い装着快適さを有しており、同時に足踏み面に特有の負荷特性を考慮に入れているものを提供することである。本発明によれば、この課題は、クッションが外側及び内側の球の領域、かかとの領域並びに甲の外側の領域に設けられており、クッションの間に中間室が形成されていることにより解決される。
【０００６】
本発明によれば、特にスポーツ活動のための靴下において、足に特有の負荷特性を考慮に入れたものが提供されている。種々異なった負荷領域の分離したクッションにより、足は効果的に支持され、同時に過負荷から保護される。さらに解剖学的な縦方向及び横方向円蓋部のばね作用が踏込み時にクッションにより増幅され、このことも距腱関節及び靱帯のさらなる負荷除去に貢献する。部分的にのみ形成されたクッションにより、特に踏み領域に連続してクッションを入れられた靴下と比較して、靴下の重量が減じられており、このことは、特に持久力スポーツ、例えば、トライアスロン、又はマラソン走行では、有意義な利点である。さらにクッションの間に設けられた中間室により、高められた空気循環が可能になっている。
【０００７】
本発明の発展形では、外側及び内側の球の領域のクッションは種々異なった組織構造を有している。これにより、クッション領域を、外側の指球と内側の球との間の負荷分配に合わせてきめ細かく調整することが可能となり、これにより、保護及び支持機能のさらなる改善がもたらされている。
【０００８】
本発明の構成では、足指の領域に三日月形鎌の形の足指クッションが配置されている。これにより、かなりの負荷の割合の吸収が足指により支持される。
【０００９】
有利には、足指クッションは個々のクッションの形で構成されており、これらのクッションは、有利には種々異なった組織構造を有している。これにより、足指領域の不均一な負荷分配が考慮され、この領域で特有の負荷吸収が可能となる。
【００１０】
本発明の別の構成では、靴下は少なくとも１つの側方の空調通路を有しており、この空調通路は、分離した複数のクッションにより形成された、踏み領域の中間室の少なくとも１つに開口している。これにより、足底に生じた汗の連続的な搬出が促進される。
【００１１】
本発明の別の発展形及び構成が、残りの従属請求項に記載されている。次に本発明の実施の形態を図面につきさらに詳しく説明する。
【００１２】
実施例（図１）として選択された靴下は胴Ａ及び足部Ｂを有している。足の踏み領域１内に、この靴下は部分的にクッション２，３，４，５を備えている。これらのクッション２，３，４，５は互いに結合されておらず、これにより、これらのクッションの間には中間室６が生ぜしめられている。クッション２，３，４，５は解剖学的な形状を有しており、それ故、足の負荷特性に合わせて最適に調整されている。
【００１３】
かかとの領域には円形のかかとクッション２が配置されており、このかかとクッション２は、踏み点としてのかかとの形状にほぼ等しい。甲の外側の領域にはほぼ楕円形のクッション３が設けられており、このクッション３の長手方向側は一方では甲の外側に隣接しており、かつ他方では足の縦方向及び横方向円蓋部に隣接している。指球の領域には指球クッション４が配置されている。このクッション４は同様にほぼ楕円形状を有しており、外側の指球から内側の指球まで延びている。足指の領域には、足部１は三日月形鎌の形の足指クッション５を有している。この場合にクッション形状は足指の種々異なった長さ並びに配置により規定されている。
【００１４】
図３による実施例では、靴下は足踏み領域１の球（指球）領域に２部分よりなる指球クッション４を有している。この場合に、足の甲の内側に向けられたクッション４１は、隣接する部分クッション４２より高い密度を有している。図１による実施例とは反対に、三日月形鎌の形の足指クッション５は５つの個々のクッション５１，５２，５３，５４，５５の形で構成されており、この場合にそれぞれの足指には１つのクッションが対応配置されている。これらのクッション５１〜５５は種々異なった組織構造を有している。本実施例ではクッション５１〜５５は次第に減少する密度を有しており、この場合にクッション５１は最大密度を有しており、クッション５５は最小密度を有している。
【００１５】
クッション２〜５は種々異なった厚さ及び密度を有しており、１つの材料から製造されていても種々異なった材料から製造されていてもよい。クッション２〜５の種々異なった厚さは、例えば厚めのヤーンの使用又はより多くの糸の使用により達成可能である。特にクッション２〜５を種々異なった硬度で構成する可能性がある。これにより、負荷がわずかなクッション、例えば足指クッション５は、高い負荷を受けるクッション、例えば指球クッション４よりも柔らかく構成されていてよい。もちろん図３による実施例の場合にもクッション４１及び４２の間並びクッション５１，５２，５３，５４，５５の間には負荷に関連して種々異なった硬度が設けられていてよい。
【００１６】
クッションにより、もともと備わっている足の脂肪クッションが支援される。コンフォートクッションを形成し、配置する場合に足の負荷特性の特別な考慮に基づき「裸足環境」が足にもたらされる。この「裸足環境」は、空気循環により付加的に引き起こされ、この空気循環は、クッション２〜５の間に形成された中間室６によりもたらされている。さらに靴下の側方に延びており、中間室６内に開口している空調通路７により、足底の高められた湿気除去が達成可能である。
【００１７】
説明及び請求項に「靴下」について述べている限りでは、本発明はこれらのみに制限されるものではない。むしろこの「靴下」の概念には、ストッキング、タイツ及びこれに類するものも属しており、本発明は同様にこれらにも関するものである。
【図面の簡単な説明】
【００１８】
【図１】靴下の側面図である。
【図２】靴下の下面図である。
【図３】別の構成による靴下の下面図である。
【図１】
2007506869.tif 000003
【図２】
2007506869.tif 000004
【図３】
2007506869.tif 000005
【国際調査報告】
2007506869.tif 000006
2007506869.tif 000007
2007506869.tif 000008
2007506869.tif 000009
2007506869.tif 000010
2007506869.tif 000011